(57)【要約】  【課題】  一対の螺旋状ケーブル支持具の端末に取付けてこれらを連結することができる単一な部品で構成する連結具を提供する。  【解決手段】  螺旋状ケーブル支持具Ｓの端末を後端側から差し込んで止着する有底筒状の基部片３を備え、該基部片３の先端面に、中央部片４ａ，５ａの長手方向に沿う両端に側部片４ａ，４ａ、５ａ，５ａを相対設して構成した、互いに同長な溝形状の第一、第二の連結片４，５を、各中央部片４ａ，５ａの内面同士を相対向させ、かつ、第一連結片４の側部片の内面間に第二連結片５を配するようにして突設する。そして、第二連結片５の前記中央部片５ａに切り込み６を入れて形成した弾性舌状片７の外面に係止突子９を設ける。また、第一連結片４の前記中央部片４ａの、該中央部片４ａを前後反転させたときの前記係止突子９との対称位置には、該係止突子９が前記長手方向に係止可能な大きさの受止孔１１を設ける。【選択図】    図１
2008178193.tif 000002
【特許請求の範囲】
【請求項１】
螺旋状ケーブル支持具の端末を後端側から差し込んで止着する有底筒状の基部片を備え、該基部片の先端面に、中央部片の長手方向に沿う両端に側部片を相対設して構成した、互いに同長な溝形状の第一、第二の連結片を、各中央部片の内面同士を相対向させ、かつ、第一連結片の側部片の内面間に第二連結片を配するようにして突設すると共に、第二連結片の前記中央部片に切り込みを入れて形成した弾性舌状片の外面に係止突子を設ける一方、第一連結片の前記中央部片の、該中央部片を前後反転させたときの前記係止突子との対称位置には、該係止突子が前記長手方向に係止可能な大きさの受止孔を設けた、螺旋状ケーブル支持具の連結具。
【発明の詳細な説明】
【技術分野】
【０００１】
本発明は、吊り線（メッセンジャーワイヤー）や自己支持型ケーブルに沿ってケーブルを電柱間に架設する際に用いる螺旋状ケーブル支持具の連結具に関するものである。
【背景技術】
【０００２】
互いに連結する螺旋状ケーブル支持具の端末に基部片において止着する、第一、第二の連結材で成り、第一連結材の基部片に二股分岐状の嵌挿片を突設し、該嵌挿片を嵌挿する筒状片を第二連結材の前記基部片に連設し、該筒状片には前記嵌挿片に設けた係止爪を受止する窓口を設けた構造のものがある（例えば、特許文献１）。
【０００３】
【特許文献１】特開平１１−１７８１８２号公報
【発明の開示】
【発明が解決しようとする課題】
【０００４】
前記従来例は、第二連結材の筒状片に第一連結材の嵌挿片を嵌挿して両連結材を互いに連結するもので、すなわち、雌材である第二連結材と雄材である第一連結材の２種類の連結材を用意し、これらを螺旋状ケーブル支持具の端末に取付けて用いるため、螺旋状ケーブル支持具に一端取付けると当該ケーブル支持具を適用する方向性が決まり、連結作業に際してはそれを確認する煩雑さがある。また、雌雄一対を準備しなければならないので、在庫管理的にも煩雑である。
【０００５】
本発明は、斯様な従来例の欠点を除去した、螺旋状ケーブル支持具を提供することを目的として創案したものである。
【課題を解決するための手段】
【０００６】
螺旋状ケーブル支持具の端末を後端側から差し込んで止着する有底筒状の基部片を備え、該基部片の先端面に、中央部片の長手方向に沿う両端に側部片を相対設して構成した、互いに同長な溝形状の第一、第二の連結片を、各中央部片の内面同士を相対向させ、かつ、第一連結片の側部片の内面間に第二連結片を配するようにして突設すると共に、第二連結片の前記中央部片に切り込みを入れて形成した弾性舌状片の外面に係止突子を設ける一方、第一連結片の前記中央部片の、該中央部片を前後反転させたときの前記係止突子との対称位置には、該係止突子が前記長手方向に係止可能な大きさの受止孔を設けた構成としたものである。
【発明の効果】
【０００７】
本発明によれば、第一連結片を隣接する連結具の第二連結片に、第二連結片を隣接する連結具の第一連結片にそれぞれ係合、接続させ、かつ、該係合状態を係止突子を受止孔に係止させることによって維持させて螺旋状ケーブル支持具同士を連結することができ、また、隣接する連結具のものと係止し合う雌雄の接続部を前記係止突子と受止孔が果たすから、雌雄の両機能を備えた製品を提供でき、在庫管理、取扱い上も好適である。
【実施例】
【０００８】
図面は、本発明に係る螺旋状ケーブル支持具の連結具の一実施例を示し、図１は斜視図、図２は正面図、図３は平面図、図４は断面図、図５は使用状態を示す断面図、図６は使用状態を示す略示正面図である。
【０００９】
本発明は、一対の螺旋状ケーブル支持具（例えば、特開２００４−３３６９９６公報を挙げるまでもなく公知）を連結し、電柱間に順次連結した状態で適宜数のケーブル支持具を配する連結具Ａ（概し、合成樹脂製）に係り、連結具Ａは、長手方向の一端に接続穴２を備えた基部片３を備え、該基部片３の前記接続穴２の奥壁側の先端面側、すなわち、長手方向の他の一端側に第一、第二の連結片４，５を配して構成したものである。
【００１０】
前記基部片３は、有底筒状体で成り、前記接続穴２を構成する内腔部を前記螺旋状ケーブル支持具Ｓの断面形に見合う断面形と成し、ケーブル支持具Ｓの端末を嵌挿止着するようにしてある。なお、ケーブル支持具１の端末と該端末を嵌挿した基部片３は接着剤を用いて接着すると、より強固に接続されるが、接着剤を用いることは、本発明の適用要件ではない。
【００１１】
第一、第二の連結片４，５は、中央部片４ａ，５ａの長手方向に沿う両端に側部片４ｂ，５ｂを相対設して構成した溝枠体で成り、各溝枠体は互いに同長で、しかも、第一連結片４の溝枠形の内側に第二連結部片５の溝枠形が収納される関係にあり、第一連結部片４の側部片４ｂ，４ｂの内面より内側に第二連結部片５が位置するようにして、前記の通り、基部片３の先端面３´に突設して連結具Ａを構成するすなわち、隣接する他の連結具Ａを前後反転させて（逆さにして）、該他の連結具Ａの第一連結片４，４同士と第二連結片５，５同士をそれぞれ重ね合わせたとき、第二連結片５，５同士で形成される方形筒形の内側に第一連結形４，４同士で形成される方形筒形が配される形状関係を採るものである。
【００１２】
第二連結形５は、前記中央部片５ａの前記基部片３側の基端部から自由端側方向に平面視略溝形の切り込み６を設けて中央部片４ａの先端側から基端方向に延びる舌状片７を設け、該舌状片７の表面の先端に押圧子８を、中間部に係止突子９をそれぞれ突設し、隣接する他の連結具Ａの係合切欠１０又は受止孔１１に舌状片７の弾性変形によって係合するようにしてある。
【００１３】
第二連結片５の側部片５ｂは、先端側に直角台形状の切欠１２を設けて、長手方向に沿う端縁ａを段差形状にして、先端側を幅狭い部分５ｂ´、基端側を幅広部５ｂ´´とした、一隅切欠状の長形体で成り、隣接する他の連結具Ａの側部片５ｂを端縁ａ，ａ同士が係合するように組合わせたとき、一対の一隅切欠状の長形体が互いに係合し合って長形形状を成すようにしてある。従って、互いに隣接する一対の連結具Ａの第二連結片５，５同士は互いに重なり合って前記の方形筒形を形成する。
【００１４】
第一連結片４は、前記の通り、第二連結片５より径幅の有る溝枠体で成り、中央部片４ａの、該中央部片４ａを前後反転させたときの、第二連結片５の舌状片７に設けた押圧子８と係止突子９と対称（応）位置には押圧子８又は係止突子９が前記長手方向に係止可能な大きさの前記係合切欠１０と前記受止孔１１を備えたもので、これらに隣接する他の同形な連結具Ａの押圧子８や係止突子９が舌状片７の弾性変形を利用して係合（止）するようにしてある。
【００１５】
しかして、互いに連結する一対の螺旋状ケーブル支持具１，１´の端末にそれぞれ連結具Ａを基部片３において止着して、隣接する（ケーブル支持具１，１´の）一方の連結具Ａの第一連結片４を他方の連結具Ａの第二連結片５の外側に、第二連結片５を他方の連結具Ａの第一連結片４の内側にそれぞれ位置させるようにして連結具Ａ，Ａ同士を近接する方向に押圧すると、一方の連結具Ａの第一連結部片４が他方の連結具Ａの第二連結部５の外側に、第二連結部片５が他方の連結具Ａの第一連結部片４の内側に互いに係合され、かつ、各舌状片７の弾性変形によって各押圧子８は係合切欠１０に係合し、各係止突子９は受止孔１１に係止して両連結材Ａ，Ａ（螺旋状ケーブル支持具１，１´）は互いに連結され、該連結状態は維持される。
【００１６】
そして、押圧子８を押圧すると、押圧子８部において押圧された舌状片７は弾性変形し、その弾性変形に伴って係止突子９は受止孔１１を離脱するから、両連結材Ａ，Ａを互いに離開方向に移動させることによって互いに分離させ、連結状態にあった支持具１，１´は互いに分離するのである。
【００１７】
図中、ｍはメッセンジャーワイヤー、ｃは該メッセンジャーワイヤーｍに連結具Ａで連結した螺旋状ケーブル支持具Ｓで支持するケーブルをそれぞれ示す。
【図面の簡単な説明】
【００１８】
【図１】斜視図。
【図２】正面図。
【図３】平面図。
【図４】断面図。
【図５】使用状態を示す断面図。
【図６】使用状態を示す略示正面図。
【符号の説明】
【００１９】
３      基部片
４      第一連結片
４ａ    中央部片
４ｂ    側部片
５      第二連結片
５ａ    中央部片
５ｂ    側部片
６      切り込み
７      舌状片
９      係止突子
１１    受止孔
【図１】
2008178193.tif 000003
【図２】
2008178193.tif 000004
【図３】
2008178193.tif 000005
【図４】
2008178193.tif 000006
【図５】
2008178193.tif 000007
【図６】
2008178193.tif 000008